(57)【要約】【課題】  専用のテープホルダを使用することなく、粘着テープの切断と、切断後その切断端がリング状粘着テープに貼り付いて剥しにくくなることを解消する。【解決手段】  リング状粘着テープＡの幅に相当する横幅を有し先端に鋸歯状の切刃４ａを有するカッタ４と、このカッタに対し所要間隔離間した位置に立設され先端部に粘着不能処置１１が施された折り返し形成部５と、これらカッタおよび折り返し形成部をリング状粘着テープに摺動可能に取り付けるための左右の脚片９、９と、前記折り返し形成部の基部に連設され引き出される粘着テープ３が挿通される窓孔６を形成する枠部７とを具有せしめたものである。【選択図】  図１
2006056650.tif 000002
【特許請求の範囲】
【請求項１】
リング状粘着テープの幅に相当する横幅を有し先端に鋸歯状の切刃を有するカッタと、このカッタに対し所要間隔離間した位置に立設され先端部に粘着不能処置が施された折り返し形成部と、これらカッタおよび折り返し形成部をリング状粘着テープに摺動可能に取り付けるための左右の脚片と、前記折り返し形成部の基部に連設され引き出される粘着テープが挿通される窓孔を形成する枠部とを具有することを特徴とする折り返し機能付きテープカッタ。
【請求項２】
前記折り返し形成部と窓孔との間に立設され先端部に粘着不能処置が施されたテープ誘導用突片を有している請求項１記載の折り返し機能付きテープカッタ。
【請求項３】
前記折り返し形成部は、その先端部中央に凹部を有し、この凹部部分で粘着テープをつまむことにより粘着面同士が部分接着してその時点でテープ折り返し端が固定されるようになされている請求項１または２記載の折り返し機能付きテープカッタ。
【発明の詳細な説明】
【技術分野】
【０００１】
本発明は、リング状に巻成された粘着テープの引き出し端を常に掴みやすい状態に維持するための折り返しを簡単に形成することができる折り返し機能付きテープカッタに関する。
【背景技術】
【０００２】
セロファンテープに代表される粘着テープは、通常リング状の巻芯の周囲に多数層にわたって巻着され、その巻端から用途に合わせて必要長さを引き剥し、切断して使用するようになっている。
【０００３】
上記粘着テープをリング状のままで使用するとき、セロファンテープのようにテープが薄い場合、引き剥し端をつまんで剥す際に剥しにくい。
【０００４】
そこで従来から、リング状粘着テープの巻芯を含んでカッタの左右の脚片を嵌め付け、このカッタに引き剥した粘着テープを押し当てて切断し、切断後テープの切断端がカッタに貼り付いた状態として爾後テープ端をつまみやすくするようになされている。
【０００５】
しかしてこの種のカッタでは、粘着テープを切断したあと、粘着テープの切断端がカッタから外れるとリング状粘着テープの外面に貼り付いてしまい、再使用時に粘着テープの先端の存在位置を探すことが困難になるうえ、仮に先端が見つかってもこれを剥して引き出すことが極めて難しく、場合によっては粘着テープが裂断して使用不能なロス部分が多く発生してしまうという問題があった。
【０００６】
このようなことから、デスク等の上に安定的に置かれる据置卓上型のテープホルダに、粘着テープの引き出し端を折り返せるようにしたもの（特許文献１．２参照）が提案されているが、これらはいずれも据置型のテープホルダであるため、オフィス等において粘着テープを多量に使用する場合はよいとしても、さほど使用しない家庭用などでは設置スペースを要するほか高価であるなど、不向きなものとなる。
【特許文献１】特開平６−１９９４６３号公報
【特許文献２】特開２０００−１０９２６３号公報
【発明の開示】
【発明が解決しようとする課題】
【０００７】
本発明は、置き場所を必要とする専用のテープホルダを用いることなくリング状粘着テープに簡単に取り付けるだけで粘着テープの引き剥し端がリング状粘着テープの外面に貼り付いてしまうことがなく、常に引き剥しやすい状態を確保することができるようにすることを課題とする。
【課題を解決するための手段】
【０００８】
上記課題を解決する手段として本発明は、リング状粘着テープの幅に相当する横幅を有し先端に鋸歯状の切刃を有するカッタと、このカッタに対し所要間隔離隔した位置に立設され先端部に粘着不能処置が施された折り返し形成部と、これらカッタおよび折り返し形成部をリング状粘着テープに摺動可能に取り付けるための左右の脚片と、前記折り返し形成部の基部に連設され引き出される粘着テープが挿通される窓孔を形成する枠部とを具有する構成としたことにある。
【０００９】
請求項２は、前記折り返し形成部と窓孔との間に立設され先端部に粘着不能処置が施されたテープ誘導用突片を付加したことにある。
【００１０】
請求項３は、前記折り返し形成部の先端部中央に凹部を設け、この凹部部分で粘着テープをつまむことにより粘着面同士が部分接着してその時点でテープ折り返し端が固定されるようにしたことにある。
【発明の効果】
【００１１】
本発明によれば、リング状粘着テープをテープホルダを用いずに使用するものにおいて、粘着テープの引き剥し端をテープカッタの窓孔に通し、折り返し形成部の上端を経由してカッタ上に導き、必要とする長さに引き出したところでカッタの切刃に押し当てることにより粘着テープを切り離したあと、切り返し形成部の先端を経由している粘着テープをつまむようにすれば、粘着テープ端は折り返し状に重なって粘着面同士が接着され、仮にテープカッタが移動してしまってもテープの切断端がリング状粘着テープの外周面に貼り付いてしまうことがなく、次回の引き剥し時にこの折り返し部分をつまんで難なく剥すことができる。
【００１２】
また切断した粘着テープを他部に貼付したのちこれを剥ぎ取る際にも折り返し部がつまみとなって剥しやすくすることができる。
【００１３】
特に折り返し形成部は粘着不能処置が施されているので、折り返し部を形成しても折り返し形成部に貼り付いて剥しにくくなることがなく、容易につまみとることができる。
【００１４】
請求項２によれば、折り返し形成部と窓孔との間にテープ誘導用突片を付加したことによりテープの引き剥し端を次回に引き出しやすい姿勢におくことができる。
【００１５】
請求項３によれば、テープの切断後、折り返し形成部に跨る粘着テープを指先でつまむとき、凹部の部分で粘着面同士が部分的に接着するので、折り返し状態をより確実に得ることができる。
【発明を実施するための最良の形態】
【００１６】
図１は本発明による折り返し機能付きテープカッタ１の一実施形態の斜視図を示し、図２はこのテープカッタを巻芯２の周面に粘着テープ３が多層に巻着されたテープ（本発明においてはこれをリング状粘着テープＡという）に取り付けて粘着テープ３を引き出して切断した直後の状態を示している。
【００１７】
上記テープカッタ１は、粘着テープ３の幅に相当する横幅を有するとともに先端に鋸歯状の切刃４ａが形成されたカッタ４と、このカッタ４に対し所要の間隔をおいて該カッタ４に略同高に立設された折り返し形成部５と、この折り返し形成部５の基部に連設され引き出される粘着テープ３が通る窓孔６を形成する枠部７と、前記折り返し形成部５と窓孔６との間に立設されたテープ誘導用突片８とを備え、左右部にはリング状粘着テープＡの巻芯２を含み該粘着テープＡを抱持するように取り付けるための脚片９、９を有している。この脚片９、９はその先端の折曲部９ａ、９ａを巻芯２の内周面にそわせるよう折り込むことによりこれをガイドとしてテープカッタ１がリング状粘着テープＡの周方向に摺動可能に取り付けられる。
【００１８】
なお、前記テープ誘導用突片８は、前記窓孔６を通じて引き出される粘着テープ３を折り返し形成部５の先端に導くガイドとなる高さを有している。
【００１９】
前記折り返し形成部５は、その幅方向中央の先端に凹部１０を備え、この凹部１０の左右突出部および前記テープ誘導用突片８の先端から所要範囲には、粘着テープ３の粘着面が貼り付かない材料の貼付、塗布、あるいはその材料で形成されたキャップの被嵌等による粘着不能処置１１が施されている。上記材料としては、テフロン（登録商標）、ポリプロピレン等を用いることができる。
【００２０】
図３は、折り曲げ可能な１枚の金属板を型抜きして図１のテープカッタ１を形成するようにする場合の一例を示す平面図で、同図の点線部分で折り曲げることにより図１の形態を得るようになっている。したがって図１における各構成部分と対応する箇所にこれと同一符号が付されている。
【００２１】
次に上記実施形態の作用を図４（Ａ）〜（Ｃ）を参照して説明する。
【００２２】
図４（Ａ）のように、リング状粘着テープＡから引き出された粘着テープ３はテープカッタ１の窓孔６を通って折り返し形成部５の上端からカッタ４に至っており、この状態で折り返し形成部５の前後から手指で粘着テープ３を挟んでつまむようにすれば、粘着テープ３の切断端部分が２つ折り状となり、手指で掴みやすい状態になる。このとき粘着テープ３は折り返し形成部５の先端の凹部１０の存在により粘着面同士が部分接着し、折り返し状態に固定され、折り返し部３ａが形成される。
【００２３】
こうして形成された粘着テープ３の折り返し部分３ａをつまんで引き出すようにすれば、折り返し形成部５の先端部分に粘着不能処置１１が施されているので容易に剥すことができ、続いて図４（Ｂ）に示すように粘着テープ３の剥離に応じ枠部７を押すことになるのでテープカッタ１が矢印Ｂ方向にスライドし、必要長さ引き出したところで粘着テープ３をカッタ４の切刃４ａに押し当てるようにすれば、粘着テープ３は図４（Ｃ）のようにテープ誘導用突片８、折り返し形成部５を経由して緊張し、カッタ４の切刃４ａで切断される。切断後は図２に示した状態となる。
【００２４】
ここで折り返し形成部５の先端を挟むように粘着テープ３の切断端を手指でつまんでおけば、前述のように切断端は２つ折り状になるとともに凹部１０の部分で粘着テープ３が互に接着して固定され、粘着テープ３に対しテープカッタ１がずれ動いて粘着テープ３の切断端がカッタ４から外れても折り返し部３ａの存在によりリング状粘着テープＡの外面にぴったりと貼り付いて剥せなくなることが防がれる。
【図面の簡単な説明】
【００２５】
【図１】本発明による折り返し機能付きテープカッタの一実施形態を示す斜視図。
【図２】図１のテープカッタをリング状粘着テープに取り付けた状態を示し、粘着テープを切断した直後の側面図。
【図３】図１のテープカッタの一製作例を示す展開図。
【図４】（Ａ）〜（Ｃ）は作用を示す説明図。
【符号の説明】
【００２６】
Ａ  リング状粘着テープ
１  テープカッタ
２  巻芯
３  粘着テープ
３ａ  折り返し部
４  カッタ
４ａ  切刃
５  折り返し形成部
６  窓孔
７  枠部
８  テープ誘導用突片
９  脚片
９ａ  折曲部
１０  凹部
１１  粘着不能処置
【図１】
2006056650.tif 000003
【図２】
2006056650.tif 000004
【図３】
2006056650.tif 000005
【図４】
2006056650.tif 000006